(57)【要約】【課題】  長さは異なるものの、横幅および厚さ（断面形状）がほぼ同じ２種類のカードでは、短いカード用コンタクトに長いカードが干渉するのを防止できないので、このような２種類のカードに対するカードコネクタの共用化は実現できない。【解決手段】  ２種類のカード２，３の横幅および厚さ（断面形状）ではなく、先端一側角部の角落とし形状の違いにより動作させるカードセレクト部材１６を備え、カードセレクト部材１６により短いカード２はスロット５の下側部分に位置規制し、長いカード３はスロット５の上側部分に位置規制し、短いカード用の第１コンタクト６に長いカード３が干渉するのを防止し、長さは異なるものの、横幅および厚さがほぼ同じ２種類のカード２，３に共用できるカードコネクタ１を得る。【選択図】  図１
2006100059.tif 000002
【特許請求の範囲】
【請求項１】
横幅と厚さは略同じで長さと先端一側角部の角落とし形状が異なる２種類のカードを挿入するハウジングに、短いカードの電極と接触させて電気的に接続させる第１コンタクトと長いカードの電極と接触させて電気的に接続させる第２コンタクトを、カード挿入方向に沿って手前側と奥側に前後２列に備えると共に、カード挿抜方向に摺動するイジェクト用のスライダを備えるカードコネクタにおいて、ハウジングの第１コンタクトより手前側に、スライダに対してカード挿抜方向で係合した状態でカード幅方向で摺動する断面Ｌ形のカードセレクト部材を備え、カードセレクト部材は、第１のスライド位置とそれよりカード幅方向外側の第２のスライド位置の間を摺動し、第１のスライド位置方向に常時付勢されると共に、ハウジングとカードセレクト部材の摺接面には、カードセレクト部材を第２のスライド位置方向の摺動に伴って上昇させ、第１のスライド位置方向の摺動に伴って下降させる傾斜状の昇降ガイド面を設け、カードセレクト部材のスライダに対する係合端部には、短いカードの角落とし領域にのみ嵌合するカードセレクト部を設け、短いカード挿入時にその角落とし領域に対するカードセレクト部の嵌合によりカードセレクト部材を第１のスライド位置に保持し、長いカード挿入時にはその角落とし領域に対するカードセレクト部の非嵌合によりカードセレクト部材を第１のスライド位置から第２のスライド位置へ摺動させながら上昇させ、長いカードを短いカード用の第１コンタクトより高い位置に持ち上げ支持することを特徴とするカードコネクタ。
【発明の詳細な説明】
【技術分野】
【０００１】
本発明は、メモリーカードと各種電子機器の基板を電気的に接続するためのカードコネクタの中で、サイズの異なる２種類のメモリーカードに共用できるカードコネクタに関する。
【背景技術】
【０００２】
各種カードコネクタの中で、長さの異なる２種類のカードに共用できるカードコネクタでは、これら２種類のカードが挿入可能なハウジングに、短いカード用コンタクトと長いカード用コンタクトをカード挿入方向に沿って手前側と奥側に前後２列に備えるので、次のいずれかの方法を採用して、短いカード用コンタクトに長いカードが干渉するのを防止している。一つは、短いカード用コンタクトの接点位置を可変とし、長いカード挿入時に短いカード用コンタクトの接点位置を下げる方法。一つは、ハウジング内でのカード支持高さを可変とし、長いカード挿入時にカード支持高さを短いカード用コンタクトの接点位置より高い位置に持ち上げる方法である。そして、この２つの方法はいずれもが短いカードと長いカードの断面形状（横幅や厚さ）の違いを利用するものであった。（例えば、「特許文献１」参照。）。
【特許文献１】特開２００３−２２９２０６号公報
【発明の開示】
【発明が解決しようとする課題】
【０００３】
本発明の解決しようとする課題は、例えば、ｍｉｎｉＳＤカード（横幅20mm、長さ21.5mm、厚さ1.4mm）とメモリースティックＤｕｏ（横幅20mm、長さ31mm、厚さ1.6mm）のように、長さは異なるものの横幅と厚さ（断面形状）が略同じ２種類のカードでは、短いカード用コンタクトに長いカードが干渉するのを防止できないので、このような２種類のカードに対するカードコネクタの共用化は実現できない点にある。
【課題を解決するための手段】
【０００４】
課題を解決するための本発明の手段は、横幅と厚さは略同じで長さと先端一側角部の角落とし形状が異なる２種類のカードを挿入するハウジングに、短いカードの電極と接触させて電気的に接続させる第１コンタクトと長いカードの電極と接触させて電気的に接続させる第２コンタクトを、カード挿入方向に沿って手前側と奥側に前後２列に備えると共に、カード挿抜方向に摺動するイジェクト用のスライダを備えるカードコネクタにおいて、ハウジングの第１コンタクトより手前側に、スライダに対してカード挿抜方向で係合した状態でカード幅方向で摺動する断面Ｌ形のカードセレクト部材を備え、カードセレクト部材は、第１のスライド位置とそれよりカード幅方向外側の第２のスライド位置の間を摺動し、第１のスライド位置方向に常時付勢されると共に、ハウジングとカードセレクト部材の摺接面には、カードセレクト部材を第２のスライド位置方向の摺動に伴って上昇させ、第１のスライド位置方向の摺動に伴って下降させる傾斜状の昇降ガイド面を設け、カードセレクト部材のスライダに対する係合端部には、短いカードの角落とし領域にのみ嵌合するカードセレクト部を設け、短いカード挿入時にその角落とし領域に対するカードセレクト部の嵌合によりカードセレクト部材を第１のスライド位置に保持し、長いカード挿入時にはその角落とし領域に対するカードセレクト部の非嵌合によりカードセレクト部材を第１のスライド位置から第２のスライド位置へ摺動させながら上昇させ、長いカードを短いカード用の第１コンタクトより高い位置に持ち上げ支持することを特徴とする。
【発明の効果】
【０００５】
本発明によれば、長さは異なるものの、横幅および厚さがほぼ同じ２種類のカードであっても、両カードの先端一側角部の角落とし形状の違いを利用して、カードセレクト部材を動作させることで、短いカード用の第１コンタクトに長いカードが干渉するのを防止できるので、このような２種類のカードに共用できるカードコネクタを得ることができた。
【発明を実施するための最良の形態】
【０００６】
以下、本発明の実施の形態を図面に基づいて説明する。図１は本発明の実施の形態に係るカードコネクタ１のカバーを取り外した状態の外観斜視図である。このコネクタ１は横幅と厚さ（断面形状）が略同じで長さと先端一側角部の角落とし形状が異なる２種類のメモリーカードに共用するもので、図２〜図４に一方のメモリーカードである短いカード２の使用状態を示し、図５〜図７に他方のメモリーカードである長いカード３の使用状態を示す。また、図２〜図４には短いカード２の一例として、先端一側角部が直角な２面で略矩形状に角落としされているｍｉｎｉＳＤカード（横幅20mm、長さ21.5mm、厚さ1.4mm）を示し、図５〜図７には先端一側角部が外膨らみの円弧面で略三角形状に角落としされている長いカード３の一例として、メモリースティックＤｕｏ（横幅20mm、長さ31mm、厚さ1.6mm）を示す。従って、短いカード２の先端部はその左側の角落とし部２ａにより横幅が小さくなるが、長いカード３の先端部はその左側に角落とし部３ａがあっても短いカード２のように横幅が小さくならない。
【０００７】
図１に示す如く、ボディ４は合成樹脂等の絶縁材料からなり底板４ａ、左右側壁４ｂ，４ｃ及び後側壁４ｄを有し、板金製（導電性）で天板及び左右側板を有する図示しないカバーとでコネクタ１の薄い矩形箱状のハウジングを構成する。また、ハウジングの前側面となるボディ４の前側面は左右側端部に横幅の狭い前側壁４ｅ，４ｆを残して開口され、横幅が両カード２，３の横幅より僅かに大きく、高さが長いカード３の厚さ以上で両カード２，３の合計厚さ以下であって、短いカード２と長いカード３のいずれか１枚が挿入できるスロット５に構成されている。
【０００８】
図１〜図７に示す如く、スロット５の内部、すなわち、ハウジングの内部となるボディ４の内側には短いカード用の複数の第１コンタクト６と長いカード用の複数の第２コンタクト７を、カード挿抜方向に沿って手前側と奥側に前後２列に備えている。両コンタクト６，７は細長い導電性の金属端子からなり、第１コンタクト６は前半部を図示したようにインサート成形又は図示しないコンタクト取り付け溝への圧入等によりボディ底板４ａの前端部に一体に取り付け、後半部を上下に弾性変位可能に後上がり傾斜状にボディ底板４ａの前部上面側に突出させ、ボディ４の内側前部に横並び状態で配備し、後端に短いカード２の先端部下面側に横並び状態で配備されている図示しない複数の電極それぞれに接触させて電気的に接続させるための接点６ａを形成している。また、前端はボディ底板４ａの前端に形成した切り欠き部８からボディ４の外底面に略面一状態で露出させ、基板のパターンに半田付けにより電気的に接続するための表面実装用の外部接点６ｂに形成している。他方、第２コンタクト７は後半部を図示したようにインサート成形又は図示しないコンタクト取り付け溝への圧入等によりボディ底板４ａの後端部に一体に取り付け、前半部を上下に弾性変位可能に前上がり傾斜状にボディ底板４ａの後部上面側に突出させ、ボディ４の内側後部に横並び状態で配備し、前端に長いカード３の先端部下面側に横並び状態で配備されている図示しない複数の電極それぞれに接触させて電気的に接続させるための接点７ａを形成している。また、後端はボディ底板４ａの後端からボディ４の外側にこの外底面と略面一状態で露出させ、基板のパターンに半田付けにより電気的に接続するための表面実装用の外部接点７ｂに形成している。第２コンタクト７の接点７ａは第１コンタクト６の接点６ａより高い位置に形成されている。
【０００９】
前記ボディ４の内側にはプッシュイン／プッシュアウト型のカードイジェクト機構９を備えている。カードイジェクト機構９はスライダ１０、イジェクトバネ１１、ロック機構１２から構成されている。
【００１０】
前記スライダ１０は合成樹脂材料からなり前方に向かって開放するコ字形に形成し、左右側片１０ａ，１０ｂ及び後側片１０ｃにより囲うカード受け入れ空間１０ｄを有し、ボディ４の内側にカード挿抜方向（前後方向）に摺動自在に嵌合させ、スロット５に挿入された１枚の短いカード２又は長いカード３の挿入端部をカード受け入れ空間１０ｄに受け入れるボルダ型に構成している。また、カード受け入れ空間１０ｄの後半底部には長いカード３を第１コンタクト６の接点６ａより僅かに高い位置に支持するための固定のカード支持底面１０ｅが一体に形成されており、このカード支持底面１０ｅの後端から直角に立ち上がる後側片１０ｃの内面が長いカード３の挿入時にその挿入端面を受け止める係合面１０ｆになる。前記第２コンタクト７の接点７ａはカード支持底面１０ｅよりさらに高い位置に形成され、第２コンタクト７の前半部にスライダ１０が干渉するのを防止するためにスライダ１０には後側片１０ｃを貫通してカード支持底面１０ｅの前端部近傍まで延びる複数のコンタクト挿通孔１０ｇが横並び状態で形成されている。
【００１１】
前記イジェクトバネ１１はボディ４とスライダ１０の間に入れる圧縮コイルバネからなり、スライダ１０を常時イジェクト方向（前方）に付勢している。また、ボディ後側壁４ｄの一側端部からはイジェクトバネ１１を外周面で支持するためのバネ伸縮ガイド４ｇが前方に向けて突設され、スライダ１０の一方の側片１０ａの後部中心部にはイジェクトバネ１１とバネ伸縮ガイド４ｇの全長を収容するための底付き筒状の図示しないバネ受け部が形成されており、イジェクトバネ１１をボディ後側壁４ｄとバネ受け部底面の間で伸縮させることで、スライダ１０の左右側片１０ａ，１０ｂの前端がボディ左右前側壁４ｅ，４ｆに突き当たるイジェクト位置（図１，図２，図５に示す位置）とスライダ１０の後側片１０ｃがボディ後側壁４ｄに突き当たる最押し込み位置の間でスライダ１０を摺動させるように構成している。
【００１２】
前記ロック機構１２はスライダ１０の他方の側片（イジェクトバネ１１のバネ受け部を形成する側片と反対側の側片）１０ｂの後部上面に形成するカム溝１３と、両端部を一方向に直角に折曲げた細長い金属棒からなり後端折曲げ部をこの軸回りに回動自在にボディ後側壁４ｄの他側端部（イジェクトバネ１１のバネ伸縮ガイド４ｇを突設する側端部と反対側の側端部）に形成された軸受け部４ｈに嵌合支持し、前端折曲げ部をカム溝１３に摺動自在に嵌入するカムピン１４とで構成されている。前記カム溝１３は後端頂部の起点部１３ａと前端中央窪み部の係止部１３ｃとを往路１３ｂ及び復路１３ｄによりつなぐハート形に形成されており、スライダ１０のイジェクト位置から最押し込み位置の間の摺動を許容し、かつ、スライダ１０をイジェクト位置から最押し込み位置に押し込むプッシュイン動作により係止部１３ｃにカムピン１４の前端折曲げ部を係止させることで、スライダ１０を短いカード２と長いカード３に共通のカード装着位置（図４，図７に示す位置）にロック（スライダ１０んお前方への摺動を規制する。）すると共に、スライダ１０をカード装着位置から最押し込み位置に押し込むプッシュアウト動作により係止部１３ｃからカムピン１４の前端折曲げ部を離脱させることで、スライダ１０をイジェクト位置に復帰させるように構成している。
【００１３】
前記ボディ４の内側にはカードセレクト機構１５を備えている。カードセレクト機構１５はカードセレクト部材１６、復帰バネ１７、昇降機構１８から構成されている。
【００１４】
前記カードセレクト部材１６は合成樹脂材料からなる。本実施形態では短いカード２又は長いカード３のいずれも正規挿入姿勢でスロット５に挿入された場合、そのカード２，３の先端左側にそれぞれの角落とし部２ａ，３ａが存在するので、カードセレクト部材１６はスライダ１０における左側片１０ａの内側面前部に形成された係合溝１０ｈに嵌合するカードセレクト部１６ａと、カードセレクト部１６ａの下端からボディ底板４ａに沿って右側方に一体に延出され、スライダ１０におけるカード受け入れ空間１０ｄのカード受け入れ口底部を横切り、先端部をスライダ１０の右側片１０ａの底面前部に形成された底溝１０ｉに臨ませる平板状のカード支持プレート１６ｂとを有し、全体として断面Ｌ形に形成されており、カードセレクト部１６ａの前後側面が係合溝１０ｈのカード挿抜方向で対向するカード幅方向に平行な前後側面と摺接すると共に、カード支持プレート１６ｂの下面がボディ底板４ａと摺接し、スライダ１０に対してカード挿抜方向で常時係合させた状態で、カード幅方向（左右方向）に摺動自在に、第２コンタクト６より手前側となるスライダ１０におけるカード受け入れ空間１０ｄのカード受け入れ口部に配備し、スライダ１０と一体にボディ底板４ａの上でカード挿抜方向に摺動させるように構成している。
【００１５】
また、カードセレクト部材１６はカードセレクト部１６ａとスライダ１０の摺接面に設けられる図示しないストッパーである凹凸等により右方向摺動量が規制されると共に、カードセレクト部１６ａの外側面と係合溝１０ｈの溝底の間に入れる前記復帰バネ１７により常時右方向に付勢されており、カード支持プレート１６ｂの先端部がスライダ１０の底溝１０ｉに挿入され、カードセレクト部１６ａの内側部がスライダ１０の係合溝１０ｈからカード受け入れ空間１０ｄのカード受け入れ口左側部に突出する第１のスライド位置（図１〜図４に示す位置）とカード支持プレート１６ｂの先端部が底溝１０ｉから抜け出て、カードセレクト部１６ａの内側部がカード受け入れ空間１０ｄから係合溝１０ｈに退入する第２のスライド位置（図５〜図７に示す位置）の間でカード幅方向に摺動させるように構成している。図１〜図７ではコイルバネからなる復帰バネ１７を示しているが、板バネでもよい。
【００１６】
さらに、カードセレクト部１６ａは第１のスライド位置でスライダ１０の係合溝１０ｈからカード受け入れ空間１０ｄのカード受け入れ口左側部に突出する内側部が、スロット５からカード受け入れ空間１０ｄに正規挿入姿勢で挿入された短いカード２の角落とし領域にのみ嵌合し、正規挿入姿勢で挿入された長いカード３の角落とし領域には嵌合しない形状に形成されており、カードセレクト部１６ａの内側面に短いカード２に上方から係合する下向きの係合面１６ｃと短いカード２の挿入端面を受け止める前向きの係合面１６ｄを設けると共に、短いカード２を挿入時にその角落とし領域に対するカードセレクト部１６ａの嵌合によりカードセレクト部材１６を第１のスライド位置に保持し、長いカード３を挿入時にはその角落とし領域に対するカードセレクト部１６ａの非嵌合によりカードセレクト部材１６を第１のスライド位置から第２のスライド位置へ摺動させるように構成している。
【００１７】
前記昇降機構１８はカードセレクト部材１６とボディ底板４ａの摺接面に設けるもので、カードセレクト部材１６の下面から略等間隔に突設するカード挿抜方向に延びる複数の突条１８ａと、ボディ底板４ａに形成して突条１８ａを嵌合させるカード挿抜方向に延びる複数の条溝１８ｂとで構成されている。また、突条１８ａと条溝１８ｂの断面形状は右側面のみが斜辺となる下窄まりの台形状に形成されており、カードセレクト部材１６を第１のスライド位置から第２のスライド位置方向（左方向）の摺動に伴って上昇させ、第２のスライド位置から第１のスライド位置方向（右方向）の摺動に伴って下降させる昇降ガイド面１８ｃ，１８ｄを設けている。カードセレクト部材１６は短いカード２を挿入時に第１のスライド位置に保持されることで、突条１８ａと条溝１８ｂが嵌合し、この嵌合によりカード支持プレート１６ｂの上面が第１コンタクト６の接点６ａより低くなってスロット５の下縁と面一になる高さ位置（図１，図３に示す位置）に支持され、短いカード２をこの下面がスロット５の下縁に摺接する高さで挿抜させ、長いカード３を挿入時には第１のスライド位置から第２のスライド位置へ摺動することで、この摺動に伴って昇降ガイド面１８ｃ，１８ｄを介して突条１８ａが条溝１８ｂから離脱してボディ底板４ａの上に乗り上がり、この乗り上がりによりカード支持プレート１６ｂの上面がスライダ１０に形成された固定のカード支持底面１０ｅの上面と略同じ高さになって第１コンタクト６の接点６ａより僅かに高くなる高さ位置（図６に示す位置）に支持され、長いカード３を第１コンタクト６の接点６ａより僅かに高い位置に持ち上げた状態で挿抜させるように構成している。
【００１８】
スライダ１０の底溝１０ｉの高さ（深さ）はカードセレクト部材１６が第２のスライド位置に摺動したときのカード支持プレート１６ｂを挿抜きできる高さに形成されている。また、昇降機構１８の条溝１８ｂはカードセレクト部材１６がスライダ１０と一体にカード挿抜方向にを摺動できるようにカードセレクト部材１６のカード挿抜方向の摺動範囲全長に形成されている。
【００１９】
本実施形態において短いカード２の一例として示したｍｉｎｉＳＤカードでは前記角落とし部２ａと反対側の上縁角部も角落としされているので、この角落とし部２ｂに対するカードセレクト部を構成するためのサブカードセレクト部材１９と復帰バネ２０を前記カードセレクト機構１５は備えている。
【００２０】
前記サブカードセレクト部材１９は合成樹脂材料からなり、スライダ１０の右側片１０ｂにおける前記底溝１０ｉの上側で前記係合溝１０ｈと対向状に形成された係合溝１０ｊにカード幅方向（左右方向）に摺動自在に嵌合させ、前記カードセレクト部１６ａと対向状にスライダ１０に配備している。
【００２１】
また、サブカードセレクト部材１９はこれとスライダ１０の摺接面に設けられる図示しないストッパーである凹凸等により左方向摺動量が規制されると共に、サブカードセレクト部材１９の外側面と係合溝１０ｊの溝底の間に入れる前記復帰バネ２０により常時左方向に付勢されており、サブカードセレクト部材１９の内側部がスライダ１０の係合溝１０ｊからカード受け入れ空間１０ｄのカード受け入れ口右側部に突出する第１のスライド位置（図１〜図４に示す位置）とカード受け入れ空間１０ｄから係合溝１０ｊに退入する第２のスライド位置（図５〜図７に示す位置）の間でカード幅方向に摺動させるように構成している。図１〜図７ではコイルバネからなる復帰バネ２０を示しているが、板バネでもよい。
【００２２】
さらに、サブカードセレクト部材１９は第１のスライド位置でスライダ１０の係合溝１０ｊからカード受け入れ空間１０ｄのカード受け入れ口右側部に突出する内側部を、スロット５からスライダ１０のカード受け入れ空間１０ｄに正規挿入姿勢で挿入された短いカード２の先端右側の角落とし領域に嵌合させ、サブカードセレクト部材１９の下面を短いカード２に上方から係合させると共に、長いカード３を挿入時にはそのカード３により第１のスライド位置から第２のスライド位置へ摺動させ、前記カードセレクト部１６ａとで長いカード３を挟持するように構成している。
【００２３】
スライダ１０のカード受け入れ空間１０ｄを挟んで対向するカードセレクト部材１６のカードセレクト部１６ａとサブカードセレクト部材１９のそれぞれの内側面前部の角部には該部を斜めに角落としすることによりカード挿入ガイド面１６ｅ，１９ａに形成している。
【００２４】
次に、上記カードコネクタ１の動作を説明する。図１に示す如く、コネクタ１はカード未挿入時、カードイジェクト機構９はスライダ１０がイジェクトバネ１１の付勢力によりイジェクト位置に保持され、スロット５にカード受け入れ空間１０ｄを連通接続させると共に、カム溝１３の起点部１３ａにカムピン１４の前端折曲げ部が嵌入されたイジェクト状態になっている。また、カードセレクト機構１５はカードセレクト部材１６とサブカードセレクト部材１９がそれぞれ復帰バネ１７，２０の付勢力により第１のスライド位置に保持され、カードセレクト部材１６におけるカードセレクト部１６ａの内側部がスライダ１０の左側片１０ａの係合溝１０ｈからカード受け入れ空間１０ｄのカード受け入れ口左側部に突出し、サブカードセレクト部材１９の内側部がスライダ１０の右側片１０ｂの係合溝１０ｊから前記カードセレクト部１６ａと対向状にカード受け入れ空間１０ｄのカード受け入れ口右側部に突出した状態になっている。
【００２５】
そして、図２，図３に示す如く、短いカード２が正規挿入姿勢でスロット５に挿入された場合、カードセレクト部材１６におけるカードセレクト部１６ａの内側部がカード２の挿入端部左側の角落とし領域に嵌合すると共に、サブカードセレクト部材１９の内側部がカード２の挿入端部左上側縁の角落とし領域に嵌合するので、スライダ１０とカードセレクト部材１６及びスライダ１０とサブカードセレクト部材１９のそれぞれの相対位置はそのままで、すなわち、カードセレクト部材１６とサブカードセレクト部材１９を第１のスライド位置に保持したままで、カード２の挿入端部がスライダ１０におけるカード受け入れ空間１０ｄのカード受け入れ口部に嵌り込む。これにより、カード２はカードセレクト部材１６におけるカード支持プレート１６ｂとカードセレクト部１６ａの下向きの係合面１６ｃ及びサブカードセレクト部材１９の下面によりカード２の下面がスロット５の下縁に摺接する高さに規制されると共に、カードセレクト部材１６におけるカードセレクト部１６ａの前向きの係合面１６ｄによりスライダ１０のカード受け入れ空間１０ｄに対するカードセレクト部材１６とサブカードセレクト部材１９より奥側への挿入が規制され、このカード２によるカードイジェクト機構９のプッシュイン／プッシュアウト動作を可能にする。すなわち、図２に示す状態からカード２を押し込むと、カードセレクト部材１６におけるカードセレクト部１６ａの前向きの係合面１６ｄがカード２の挿入端部で後方へ押圧され、スライダ１０とカードセレクト部材１６及びサブカードセレクト部材１９が一体にカードセレクト部材１６を介してカード２の押し込みに追従移動し、イジェクトバネ１１の付勢力に抗してイジェクト位置からボディ４の奥側へと押し込まれ、スライダ１０の後側片１０ｃがボディ後側壁４ｄに突き当たる最押し込み位置へと移動する。この時点で、カード２の押し込みを解除すると、スライダ１０とカードセレクト部材１６及びサブカードセレクト部材１９は一体にイジェクトバネ１１の付勢力により最押し込み位置からイジェクト方向へ押し戻される。このスライダ１０のイジェクト位置からの一連の動作によりカムピン１４の前端折曲げ部がカム溝１３の起点部１３ａから往路１３ｂを経て係止部１３ｃに導入係止され、図４に示す如く、スライダ１０のイジェクト方向への移動が最押し込み位置より少し手前のカード装着位置で規制され、ボディ４に対してスライダ１０がカード装着位置にてロックされる。スライダ１０がカード装着位置にロックされると、カード受け入れ空間１０ｄの前半底部に第１コンタクト６の後半部が突出する。これにより、スライダ１０のカード受け入れ空間１０ｄの前半底部に嵌め込まれているカード２の各電極が各第１コンタクト６の接点６ａに乗り上がって接触して電気的に接続され、カード装着状態となる。
【００２６】
また、カード装着状態でカード２の押し込みを行うことにより、前記係合面１６ｄがカード２の挿入端部で後方へ押圧され、スライダ１０とカードセレクト部材１６及びサブカードセレクト部材１９は一体にイジェクトバネ１１の付勢力に抗してカード装着位置から再び最押し込み位置へと移動する。この動作によりカムピン１４の前端折り曲げ部がカム溝１３の係止部１３ｃから離脱して復路１３ｄに導入され、スライダ１０のイジェクト方向への移動規制が解除される（スライダ１０のロックが解除される）。この時点で、カード２の押し込みを解除することにより、スライダ１０とカードセレクト部材１６及びサブカードセレクト部材１９は一体にイジェクトバネ１１の付勢力により最押し込み位置からイジェクト方向へ押し戻され、イジェクト位置へと復帰し、図２に示す如く、カード２がイジェクトされてスロット５のイジェクト位置で保持される。スロット５のイジェクト位置にイジェクトされたカード２はスロット５から突出している端部を指で摘んで引抜くことによりスロット５から抜去ることができ、図１に示す如く、コネクタ１はカード未挿入状態になる。
【００２７】
一方、図５，図６に示す如く、長いカード３の角落とし部３ａは短いカード２の角落とし部２ａのようにカード先端部の横幅を小さくする形状ではなく、カードセレクト部材１６におけるカードセレクト部１６ａの内側部がカード３の挿入端部左側の角落とし領域にに嵌合しない。また、長いカード３は短いカード２のように前記角落とし部３ａと反対側の上縁角部は角落としされておらず、サブカードセレクタ部材１９の内端部が嵌合する角落とし領域も存在しないので、長いカード３が正規挿入姿勢でスロット５に挿入された場合、そのカード３の挿入端部はカードセレクト部材１６とサブカードセレクタ部材１９をカード幅によりそれぞれ外側に押し退けて、スライダ１０におけるカード受け入れ空間１０ｄのカード受け入れ口部に嵌り込む。このとき、カードセレクト部材１６とサブカードセレクタ部材１９がそれぞれ復帰バネ１７，２０の付勢力に抗して第１のスライド位置から第２のスライド位置へと移動するので、カードセレクト部材１６は昇降機構１８により第１のスライド位置から第２のスライド位置への移動と同時にカード３を押し上げる方向へも移動する。すなわち、上昇する。これにより、カード３はカードセレクト部材１６のカード支持プレート１６ｂにより第１コンタクト６の接点６ａより僅かに高い位置に持ち上げ支持されるので、これ以降、カード３は第１コンタクト６の接点６ａに干渉することなくこの上方を通過し、カード受け入れ空間１０ｄの後半部に形成されている固定のカード支持底面１０ｅに乗り上がり、このカード支持底面１０ｅでも第１コンタクト６の接点６ａより僅かに高い位置に持ち上げ支持され、最終的にカード３の挿入端面がスライダ１０における後側片１０ｃの前向きの係合面１０ｆに突き当たるカード受け入れ空間１０ｄの最奥まで挿入され、このカード３によるカードイジェクト機構９のプッシュイン／プッシュアウト動作を可能にする。すなわち、図５に示す状態からカード３を押し込むと、スライダ１０における後側片１０ｃの前向きの係合面１０ｆがカード３の挿入端部で後方へ押圧され、スライダ１０とカードセレクト部材１６及びサブカードセレクト部材１９が一体にカード３の押し込みに追従移動し、イジェクトバネ１１の付勢力に抗してイジェクト位置からボディ４の奥側へと押し込まれ、スライダ１０の後側片１０ｃがボディ後側壁４ｄに突き当たる最押し込み位置へと移動する。この時点で、カード３の押し込みを解除すると、スライダ１０とカードセレクト部材１６及びサブカードセレクト部材１９は一体にイジェクトバネ１１の付勢力により最押し込み位置からイジェクト方向へ押し戻される。このスライダ１０のイジェクト位置からの一連の動作によりカムピン１４の前端折曲げ部がカム溝１３の起点部１３ａから往路１３ｂを経て係止部１３ｃに導入係止され、図７に示す如く、スライダ１０のイジェクト方向への移動が最押し込み位置より少し手前のカード装着位置で規制され、ボディ４に対してスライダ１０がカード装着位置にてロックされる。スライダ１０がカード装着位置にロックされると、そのカード受け入れ空間１０ｄの後半部に第２コンタクト７がコンタクト挿通孔１０ｇを介して収容され、第２コンタクト７の前半部が固定のカード支持底面１０ｅから上方に突出する。これにより、スライダ１０のカード受け入れ空間１０ｄの最奥まで嵌め込まれているカード３の各電極が各第２コンタクト７の接点７ａに乗り上がって接触して電気的に接続され、カード装着状態となる。
【００２８】
また、カード装着状態でカード３の押し込みを行うことにより、前記係合面１０ｆがカード３の挿入端部で後方へ押圧され、スライダ１０とカードセレクト部材１６及びサブカードセレクト部材１９は一体にイジェクトバネ１１の付勢力に抗してカード装着位置から再び最押し込み位置へと移動する。この動作によりカムピン１４の前端折り曲げ部がカム溝１３の係止部１３ｃから離脱して復路１３ｄに導入され、スライダ１０のイジェクト方向への移動規制が解除される（スライダ１０のロックが解除される）。この時点で、カード３の押し込みを解除することにより、スライダ１０とカードセレクト部材１６及びサブカードセレクト部材１９は一体にイジェクトバネ１１の付勢力により最押し込み位置からイジェクト方向へ押し戻され、イジェクト位置へと復帰し、図５に示す如く、カード３がイジェクトされてスロット５のイジェクト位置で保持される。スロット５のイジェクト位置にイジェクトされたカード３はスロット５から突出している端部を指で摘んで引抜くことによりスロット５から抜去ることができ、このカード３の抜去により、図１に示す如く、コネクタ１はカードセレクト部材１６及びサブカードセレクト部材１９がそれぞれ復帰バネ１７，２０の付勢力により第２のスライド位置から第１のスライド位置へと復帰し、カード未挿入状態になる。
【００２９】
以上のように、横幅と厚さは略同じで長さと先端一側角部の角落とし形状が異なる２種類のカード２，３を挿入するハウジング４に、短いカード２の電極と接触させて電気的に接続させる第１コンタクト６と長いカード３の電極と接触させて電気的に接続させる第２コンタクト７を、カード挿入方向に沿って手前側と奥側に前後２列に備えると共に、カード挿抜方向に摺動するイジェクト用のスライダ１０を備えるカードコネクタ１において、ハウジング４の第１コンタクト６より手前側に、スライダ１０に対してカード挿抜方向で係合した状態でカード幅方向で摺動する断面Ｌ形のカードセレクト部材１６を備え、カードセレクト部材１６は、第１のスライド位置とそれよりカード幅方向外側の第２のスライド位置の間を摺動し、第１のスライド位置方向に常時付勢されると共に、ハウジング４とカードセレクト部材１６の摺接面には、カードセレクト部材１６を第２のスライド位置方向の摺動に伴って上昇させ、第１のスライド位置方向の摺動に伴って下降させる傾斜状の昇降ガイド面１８ｃ，１８ｄを設け、カードセレクト部材１６のスライダ１０に対する係合端部には、短いカード２の角落とし領域にのみ嵌合するカードセレクト部１６ａを設け、短いカード挿入時にその角落とし領域に対するカードセレクト部１６ａの嵌合によりカードセレクト部材１６を第１のスライド位置に保持し、長いカード挿入時にはその角落とし領域に対するカードセレクト部１６ａの非嵌合によりカードセレクト部材１６を第１のスライド位置から第２のスライド位置へ摺動させながら上昇させ、長いカード３を短いカード用の第１コンタクト６より高い位置に持ち上げ支持し、長さは異なるものの、横幅および厚さがほぼ同じ２種類のカード２，３であっても、両カード２，３の先端一側角部の角落とし形状の違いを利用して、カードセレクト部材１６を動作させることで、短いカード用の第１コンタクト６に長いカード３が干渉するのを防止できるので、このような２種類のカード２，３に共用できるカードコネクタ１を得ることができる。
【００３０】
また、スライダ１０に、短いカード２を受け止めてスライダ１０を押し込む係合面１６ｄと長いカード３を受け止めてスライダ１０を押し込む係合面１０ｆを、カード挿入方向に沿って手前側と奥側に前後に備え、ハウジング４に、短いカード用の第１コンタクト６と長いカード用の第２コンタクト７を、カード挿入方向に沿って手前側と奥側に前後２列に備えるカードコネクタ１であっても、両カード２，３をスライダ１０の同じ移動ストロークでそれぞれのカード装着位置に保持できるようにしているので、２種類のカード２，３に共用できるカードコネクタ１のプッシュイン／プッシュアウト型のイジェクト機構９を簡潔に構成きると共に、両カード２，３を同じ押し込み力でプッシュイン／プッシュアウトでき、品質向上を図ることができる。
【図面の簡単な説明】
【００３１】
【図１】本発明の実施の形態に係るカードコネクタのカバーを取り外した状態の外観斜視図である。
【図２】図１のカードコネクタに短いカードを挿入した状態の平面図である。
【図３】図２のカードセレクト部の断面正面図である。
【図４】図１のカードコネクタが短いカードをカード装着位置にロックした状態の平面図である。
【図５】図１のカードコネクタに長いカードを挿入した状態の平面図である。
【図６】図５のカードセレクト部の断面正面図である。
【図７】図１のカードコネクタが長いカードをカード装着位置にロックした状態の平面図である。
【符号の説明】
【００３２】
１      カードコネクタ
２      短いカード
２ａ    角落とし部
３      長いカード
３ａ    角落とし部
４      ボディ（ハウジング）
５      スロット
６      第１コンタクト
７      第２コンタクト
９      カードイジェクト機構
１０    スライダ
１６    カードセレクト部材
１６ａ  カードセレクト部
１６ｂ  カード支持プレート
１８ｃ  昇降ガイド面
１８ｄ  昇降ガイド面
【図１】
2006100059.tif 000003
【図２】
2006100059.tif 000004
【図３】
2006100059.tif 000005
【図４】
2006100059.tif 000006
【図５】
2006100059.tif 000007
【図６】
2006100059.tif 000008
【図７】
2006100059.tif 000009